(57)【要約】【課題】  敷地に組まれた足場等に所定勾配で張設されて建築中の建物の上側を覆うテントや、雨や日除けとして使用される一般テントにおいて、雨水が侵入することなく、吹き上げる風及び吹きつける風のいずれに対しても風を逃がすことができる手段を提供する。【解決手段】  勾配上側のシート帯１Ｂ，１Ｃの下端部が勾配下側のシート帯１Ｃ，１Ｄの上端部の上に夫々重ねられて勾配方向に並列して配置され、固着ライン１２Ｃ間のシート帯１Ｃを隣接する勾配上下側のシート帯１Ｂ，１Ｄに対して弛ませることにより風抜き口２０ＢＣ，２０ＣＤを形成して、シート帯１Ｂ，１Ｃ，１Ｄが所定間隔の勾配方向の固着ライン１０で固着されている。【選択図】  図３
2005330756.tif 000002
【特許請求の範囲】
【請求項１】
所定勾配で張設されるテント用シートであって、可撓性のシート帯が、勾配上側のシート帯の下端部が勾配下側のシート帯の上端部の上に重ねられて勾配方向に並列して配置され、所定の固着ライン間のシート帯を隣接する勾配上下側のシート帯に対して弛ませることにより風抜き口を形成して、各シート帯が所定間隔の勾配方向の固着ラインで固着されたことを特徴とするテント用シート。
【請求項２】
前記テント用シートの勾配面において千鳥状に、各固着ライン間のシート帯を隣接する勾配上下側のシート帯に対して弛ませたことを特徴とする請求項１記載のテント用シート。
【発明の詳細な説明】
【技術分野】
【０００１】
本発明は、建築中の建物の上側を覆うテントや、雨や日除けのために張られる一般テント等に使用されるテント用シートに関する。
【背景技術】
【０００２】
建築現場において養生のために足場の上部等にテントを張設することや、雨や日除けのためにパイプ等で組んだ骨組みにテントを張設することは周知である。例えば、木造住宅を建築する際には、屋根が施工されるまで降雨により柱材等が濡れることを防いだり、日除けとして、建築中の建物を覆うテントが張設される。このようなテントは、足場や建物に適宜固定されて張設されているが、該テントが風を受けた場合、その風圧が足場等に作用するが、風が強い場合には足場や建物が倒壊するおそれもあるので、テントを外すようにしていた。
【０００３】
これに対し、開口を設けて風を逃がすテント用シートが考案されている。例えば、図６に示すように、テント用シート９０に風抜きの開口９１を形成し、該開口９１を覆うようにシート状の蓋９２を配設して一辺のみ縫付けておく。これにより、テント用シート９０の内側から風が吹き上げた場合には、風圧により蓋９２が捲れて開口９１から風が抜け、一方、降雨の際には蓋９２上を雨水が流れて、開口９１から雨水が浸入することがない（例えば、特許文献１，２参照）。また、図には示していないが、ファスナーにより開閉する開口を設けたテント用シートも考案されている（例えば、特許文献３参照）。
【０００４】
【特許文献１】特開平８−１２０９４３号公報
【特許文献２】特開平８−１５８７０５号公報
【特許文献３】特開平９−２７７０５６号公報
【発明の開示】
【発明が解決しようとする課題】
【０００５】
足場の上部では風が強い上に、建築中の建物や隣接する建物の影響で多様な方向に風が吹くところ、前記蓋９２は、テント用シート９０の内側から風が吹き上げる場合には捲り上がって開口９１を開放するが、テント用シート９０の外側から風が吹きつける場合には開口９１を閉じた状態のままで、開口９１から風が抜けないという問題がある。また、蓋９２が完全に捲り上がってしまうと風が止んでも蓋９２が戻らないおそれがあり、蓋９２が戻るとしても、風が吹き上げている間は開口９１が開放状態なので雨が降り込んでしまうという問題もある。
【０００６】
一方、開口をファスナーにより開閉する構成では、雨や風の状況によってファスナーを開閉する必要があり面倒である。また、テント用シートを施工シートとして用いる場合には屋根の施工ができる程度の高さに張設して建築中の建物の上側を覆うので、ファスナーの開閉作業は困難である。
【０００７】
本発明は、これらの点に鑑みてなされたものであり、敷地に組まれた足場等に所定勾配で張設されて建築中の建物の上側を覆うテントや、雨や日除けとして使用される一般テントにおいて、雨水が浸入することなく、吹き上げる風及び吹きつける風のいずれに対しても風を逃がすことができる手段を提供することを目的とする。
【課題を解決するための手段】
【０００８】
本発明は、所定勾配で張設されるテント用シートであって、可撓性のシート帯が、勾配上側のシート帯の下端部が勾配下側のシート帯の上端部の上に重ねられて勾配方向に並列して配置され、所定の固着ライン間のシート帯を隣接する勾配上下側のシート帯に対して弛ませることにより風抜き口を形成して、各シート帯が所定間隔の勾配方向の固着ラインで固着されたことを特徴とする。
【０００９】
また、本発明は、前記テント用シートの勾配面において千鳥状に、各固着ライン間のシート帯を隣接する勾配上下側のシート帯に対して弛ませたことを特徴とする。
【発明の効果】
【００１０】
本発明に係るテント用シートによれば、可撓性のシート帯を、勾配上側のシート帯の下端部が勾配下側のシート帯の上端部の上に重ねて勾配方向に並列して配置したので、勾配に従って流れ落ちる雨水がシート帯間から内側へ浸入することがなく、且つ、所定の固着ライン間のシート帯を隣接する勾配上下側のシート帯に対して弛ませることにより風抜き口を形成したので、吹き上げる風に対しては該シート帯と勾配下側のシート帯との間に形成された風抜き口が開口して風を逃がし、吹きつける風に対しては該シート帯と勾配上側のシート帯との間に形成された風抜き口が開口して風を逃がす。これにより、吹き上げる風及び吹きつける風のいずれに対しても風を逃がしてテント用シートに作用する風圧を軽減することができ、また、風抜き口が開口した状態でも雨水が浸入しない。
【００１１】
また、前記テント用シートの勾配面において千鳥状に、各固着ライン間のシート帯を隣接する勾配上下側のシート帯に対して弛ませることにより、テント用シートの全面に平均して多数の風抜き口を形成することができ、前述した効果を最大に発揮できる。
【発明を実施するための最良の形態】
【００１２】
以下、本発明の実施の形態に係るテント用シートについて詳細に説明する。
本テント用シート１は、住宅建築において養生テントとして使用したり、雨や日除けのための一般的なテントとして使用することができるが、本実施の形態では養生テントとして使用する場合を例に説明する。図１に示すように、本テント用シート１は、敷地に組まれた足場３に所定勾配で張設されて建築中の建物の上側を覆うことにより、住宅等の建物を建築する際に、建築中の建物の柱等が雨に濡れることを防止したり、日除けとなるものである。勿論、住宅建築に限らず、屋根の葺き替えや解体作業等においても本テント用シート１を養生テントとして使用できる。足場３は、鋼管や木材等からなり、建築する建物の周囲を囲繞するように組まれるが、足場３の資材や建物との位置関係は特に限定されるものではなく、公知且つ任意の足場において本テント用シート１を使用できる。また、テント用シート１は、建物の屋根を施工する際にも使用できるように、建築する建物に対して十分に高い位置に張設されるが、このようなテント用シート１の張設位置も特に限定されるものではなく、例えば建物の建築状況に応じて張設位置を適宜変更してもよい。
【００１３】
テント用シート１は、図１に示すように、複数の可撓性のシート帯１Ａ〜１Ｊ，２が一部重ねられて勾配方向に並列されており、本テント用シート１は切妻屋根状に張設するものであるから、５つのシート帯１Ａ〜１Ｅと、５つのシート帯１Ｆ〜１Ｊとが各勾配面を夫々形成するように構成され、棟に相当する中央部にシート帯２が設けられている。テント用シート１の棟に相当する中央部が足場３間に架設されたワイヤ４上に載せられて又はカラビナ等で吊り下げられて、ワイヤ４から各勾配面が垂れ下がるように切妻屋根状にテント用シート１が張られ、軒先に相当する縁部に適宜設けられたハト目にロープ等が挿通されて足場３や建築物に固定されている。テント用シート１はワイヤ４に対して摺動可能であり、各シート帯１Ａ〜１Ｊは可撓性であるので、テント用シート１の縁部を足場３から外して一方へ折り畳むように摺動させることにより、テント用シート１で覆われていた足場３の上部を開放することができる。なお、このようなテント用シート１の張設方法は一例であって必ずしも切妻屋根状に張設する必要はなく、所定の勾配で張設するのであれば片流れ屋根や差掛け屋根のような形状に張設してもよい。また、テント用シート１の中央部にリング部材を設け、該リング部材にワイヤ４を挿通して開閉可能に張設してもよい。
【００１４】
シート帯１Ａ〜１Ｊ，２は、織布や樹脂シート等からなり、防水性を有し且つ軽量のものが好適である。本実施の形態では、約１．５ｍ幅の１０枚のシート帯１Ａ〜１Ｊを５枚ずつで１つの勾配面としているが、シート帯の幅や勾配面当りのシート帯の並列数は適宜変更可能である。５枚のシート帯１Ａ〜１Ｅにより構成される勾配面と、他の５枚のシート帯１Ｆ〜１Ｊにより構成される勾配面とは同様であるので、切妻屋根状に張設されるテント用シート１の片側の勾配面を構成する各シート帯１Ａ〜１Ｅを例に説明する。
【００１５】
各シート帯１Ａ〜１Ｅは、図２に示すように、勾配方向に並列して、即ち長手方向が勾配方向と直交するようにして、勾配上側から勾配下側へシート帯１Ａ，１Ｂ，１Ｃ，１Ｄ，１Ｅの順序で配置されており、勾配上側のシート帯１Ａの下端部が勾配直下側のシート帯１Ｂの上端部の上に重ねられ、該シート帯１Ｂの下端部が更に勾配直下側のシート帯１Ｃの上端部の上に重ねられ、シート帯１Ｃ，１Ｄ，１Ｅも夫々同様に重ねられている。各シート帯１Ａ〜１Ｅの重ね代は、勾配面に従って流れ落ちる雨水が重ね合わせ部分からテント用シート１の内側へ浸入せず、且つ風抜き口が開口し易いように設定し、例えば本実施の形態のような約１．５ｍ幅の各シート帯１Ａ〜１Ｅであれば約３０ｃｍ程度が好適である。
【００１６】
このように、各端部が夫々重ねあわされて勾配方向に並列に配置された各シート帯１Ａ〜１Ｅは、図２に示すように、所定間隔、例えば約１．２ｍ間隔の勾配方向の固着ライン１０で固着されることにより一体とされるが、その勾配方向の各固着ライン１０の間である各固着ライン間のシート帯１Ａ〜１Ｅの寸法を、隣接する勾配上下側のシート帯に対して弛ませて各固着ライン１０に沿って縫合されている。詳細には、図３に示すように、シート帯１Ｃの固着ライン１０で挟まれた固着ライン間１２Ｃの長手方向の寸法を、その勾配上側のシート帯１Ｂの固着ライン間１２Ｂ及び勾配下側のシート帯１Ｄの固着ライン間１２Ｄの長手方向の寸法である約１．２ｍより大きくして、勾配上下側のシート帯１Ｂ，１Ｄに対してシート帯１Ｃを弛ませている。この弛みにより、シート帯１Ｃの上端部とシート帯１Ｂの下端部との重ね合わせ部分、及びシート帯１Ｃの下端部とシート帯１Ｄの上端部との重ね合わせ部分に開口が形成され、該開口が夫々風抜き口２０ＢＣ，２０ＣＤとなっている。
【００１７】
シート帯１Ｃでは、各固着ライン間において間欠して、即ち、図２に示すように、固着ライン間１４Ｃ，１６Ｃにおいて、前記固着ライン間１２Ｃと同様の弛みが設けられ、その上端部及び下端部に風抜き口が夫々形成されている。その他のシート帯１Ａ，１Ｂ，１Ｄ，１Ｅでも同様の弛みが設けられているが、各弛みは、シート帯１Ａ〜１Ｅにより構成される勾配面において千鳥状に設けられている。即ち、シート帯１Ａ及びシート帯１Ｅでは、シート帯１Ｃと同様に、固着ライン間１２Ａ，１４Ａ，１６Ａ、及び固着ライン間１２Ｅ，１４Ｅ，１６Ｅに弛みが設けられ、シート帯１Ｂ及びシート帯１Ｄでは、シート帯１Ａ，１Ｃ，１Ｅでは弛みが設けられない間欠部分である固着ライン間１１Ｂ，１３Ｂ，１５Ｂ，１７Ｂ、及び固着ライン間１１Ｄ，１３Ｄ，１５Ｄ，１７Ｄに弛みが設けられている。各シート帯１Ａ〜１Ｅの弛みの寸法は風抜き口とする開口の大きさを考慮して設定され、固着ライン間の寸法に対して約１．２〜１．５倍程度が好適である。このように、千鳥状に固着ライン間を弛ませて各シート帯１Ａ〜１Ｅが各固着ライン１０に沿って縫合されており、図には詳細に示していないが、切妻屋根状に張設されるテント用シート１の他の勾配面を構成するシート帯１Ｆ〜１Ｊも、同様に、千鳥状に固着ライン間を弛ませて各固着ライン１０に沿って縫合されており、各勾配面の最上側となるシート帯１Ａとシート帯１Ｆとは、図２に示すように、シート帯１Ａ，１Ｆの上端部にシート帯２が重ねられて各固着ライン１０に沿って縫合され、１枚のテント用シート１が構成されている。なお、本実施の形態では、各シート帯１Ａ〜１Ｊ，２を縫合することにより固着ライン１０に沿って固着してるが、接着剤による接着や熱融着等の他の固着手段を用いてもよい。
【００１８】
以下、固着ライン間１２Ｂ，１２Ｃ，１２Ｄにおける風抜き口２０ＢＣ，２０ＣＤを例に、吹き上げる風及び吹きつける風の抜け方及び雨水の流れ方について説明する。
図３に示したように、シート帯１Ｃの固着ライン間１２Ｃに弛みを設けることにより、シート帯１Ｃの上端部とシート帯１Ｂの下端部との重ね合わせ部分、及びシート帯１Ｃの下端部とシート帯１Ｄの上端部との重ね合わせ部分に夫々風抜き口２０ＢＣ，２０ＣＤが形成されている。テント用シート１の内側から風が吹き上げた場合には、各シート帯１Ｂ，１Ｃ，１Ｄが風を受けて上側へ孕もうとするが、図４に示すように、風抜き口２０ＢＣは、風圧により固着ライン間１２Ｃのシート帯１Ｃの上端部が固着ライン間１２Ｂのシート帯１Ｂの下端部に押し付けられるので殆ど開口しない状態となる。したがって、風抜き口２０ＢＣを風は殆ど通過しない。一方、風抜き口２０ＣＤは、風圧により固着ライン間１２Ｃのシート帯１Ｃの下端部が上側へ孕み、固着ライン間１２Ｄのシート帯１Ｄの上端部に対する弛み分だけ開口した状態となる。したがって、テント用シート１の内側から吹き上げる風は、風抜き口２０ＣＤを通過してテント用シート１の外側へ抜ける。
【００１９】
逆に、テント用シート１の外側から風が吹きつけた場合には、各シート帯１Ｂ，１Ｃ，１Ｄが風を受けて下側へ孕もうとするが、図５に示すように、風抜き口２０ＢＣは、風圧により固着ライン間１２Ｃのシート帯１Ｃの上端部が下側へ孕み、固着ライン間１２Ｂのシート帯１Ｂの下端部に対する弛み分だけ開口した状態となる。したがって、テント用シート１の外側から吹きつける風は、風抜き口２０ＢＣを通過してテント用シート１の内側へ抜ける。一方、風抜き口２０ＣＤは、風圧により固着ライン間１２Ｃのシート帯１Ｃの下端部が固着ライン間１２Ｄのシート帯１Ｄの上端部に押し付けられるので殆ど開口しない状態となる。したがって、風抜き口２０ＣＤを風は殆ど通過しない。このように、テント用シート１の内側から吹き上げる風に対しては風抜き口２０ＣＤが開口して風を逃がし、外側から吹きつける風に対しては風抜き口２０ＢＣが開口して風を逃がすので、吹き上げる風及び吹きつける風のいずれに対してもテント用シート１に作用する風圧を軽減することができる。
【００２０】
また、各シート帯１Ｂ，１Ｃ，１Ｄは、勾配上側のシート帯の下端部が勾配下側のシート帯の上端部の上に重ねられているので、勾配に従って流れ落ちる雨水が各シート帯間から内側へ浸入することがない。また、テント用シート１の内側から風が吹き上げている場合には、図４に示すように、風抜き口２０ＢＣは殆ど開口していないので雨水が風抜き口２０ＢＣから内側へ浸入することはなく、また、風抜き口２０ＣＤは開口しているが、固着ライン間１２Ｃにおいてシート帯１Ｃの下端部は上側へ孕んでいるので、雨水は風抜き口２０ＣＤの両側へ流れて風抜き口２０ＣＤから内側へ浸入することもない。仮に、風抜き口２０ＣＤに雨水が流れたとしても、該雨水は勾配下側の固着ライン間１２Ｄのシート帯１Ｄに受けられて、更に勾配に従って流れ落ちる。一方、テント用シート１の外側から風が吹きつけている場合には、図５に示すように、風抜き口２０ＢＣは開口しているが、該風抜き口２０ＢＣから流れ落ちた雨水は勾配下側の固着ライン間１２Ｃのシート帯１Ｃに受けられて、更に勾配に従って流れ落ちるので、雨水が風抜き口２０ＢＣから内側へ浸入することはなく、また、風抜き口ＣＤは、殆ど開口していないので雨水が風抜き口２０ＣＤから内側へ浸入することもない。このように、吹き上げる風又は吹きつける風により風抜き口２０ＢＣ，２０ＣＤが開口した状態であっても、雨水がテント用シート１の内側へ浸入することはない。
【００２１】
他の風抜き口についても同様なので詳細には説明しないが、テント用シート１の各勾配面において各固着ライン間に千鳥状に弛みが設けられることにより、各勾配面の全面に平均して多数の風抜き口が形成されているので、吹き上げる風又は吹きつける風のいずれに対してもテント用シート１の全面から風を逃がすことができる。
【００２２】
なお、本実施の形態では、テント用シート１を住宅建築において養生テントとして使用する場合を例に説明したが、本発明に係るテント用シートの使用が養生テントに限定されるものでないことは当然である。また、本実施の形態では、風抜き口を勾配面において千鳥状に形成したが、テント用シートの使用目的に応じて風抜き口を形成する箇所や数を適宜変更できることも当然である。
【図面の簡単な説明】
【００２３】
【図１】本発明の実施の形態に係るテント用シート１を足場３に張設した状態を示す概略斜視図である。
【図２】テント用シート１の一方の勾配面の構成を示す正面図である。
【図３】固着ライン間１２Ｃにおける風抜き口２０ＢＣ，２０ＣＤの構成を示す斜視図である。
【図４】吹き上げる風を受けた場合の風抜き口２０ＢＣ，２０ＣＤを示す斜視図である。
【図５】吹きつける風を受けた場合の風抜き口２０ＢＣ，２０ＣＤを示す斜視図である。
【図６】従来のテント用シートにおける風抜き手段の一例を示す概略斜視図である。
【符号の説明】
【００２４】
１  テント用シート
１Ａ〜１Ｊ，２  シート帯
１０  固着ライン
１２Ｃ  固着ライン間
２０ＢＣ，２０ＣＤ  風抜き口
【図１】
2005330756.tif 000003
【図２】
2005330756.tif 000004
【図３】
2005330756.tif 000005
【図４】
2005330756.tif 000006
【図５】
2005330756.tif 000007
【図６】
2005330756.tif 000008